(57)【要約】【課題】信号の送信時にインタリーブ処理がなされた信号は、受信側にてインタリーブ処理の際に行われたデータの並び替えを元に戻すデインタリーブ処理を行う必要があり、デインタリーブ処理を行う際にはメモリ等の記憶手段に一旦データを記憶させる必要がある。このため復調手段は、インタリーブの最長の長さに対応するメモリ等の記憶手段を備えておく必要があり、インタリーブ処理の長さが長くなるほど、デインタリーブ処理を行うための記憶手段の容量が大きくなり、復調回路の回路規模に与える影響が大きくなること。【解決手段】デインタリーブ手段にて扱うデータについて、インタリーブの長さに応じて１キャリアのデータを表現するために必要とするビット数を変更する。例えば、インタリーブの長さが最長の場合には、１キャリアのデータのビット数をＮと設定し、インタリーブの長さが半分になれば、１キャリアのデータのビット数を最大２Ｎまで大きくする。【選択図】図１
2008199142.tif 000002
【特許請求の範囲】
【請求項１】
周波数領域のＯＦＤＭ信号が入力され、ＯＦＤＭキャリアの伝送路特性の推定値である伝送路特性推定値信号、前記周波数領域のＯＦＤＭ信号を前記伝送路特性推定値信号で除算した除算複素信号、前記周波数領域のＯＦＤＭ信号に含まれるＴＭＣＣ信号を復号し得られるＯＦＤＭパラメータ信号及び前記除算複素信号及び前記伝送路特性推定値信号の量子化ビット幅を示す量子化ビット幅信号を出力する復調手段と、
前記ＯＦＤＭパラメータ信号及び前記量子化ビット幅信号に基づき、前記除算複素信号を周波数及び時間方向に並び替え、前記伝送路特性推定値信号とともにデインタリーブ信号として出力するデインタリーブ手段とを備え、
前記ＯＦＤＭパラメータ信号に含まれるインタリーブ長信号に応じて、前記デインタリーブ手段が出力するデインタリーブ信号の量子化ビット幅を変更することを特徴としたＯＦＤＭ受信装置。
【請求項２】
前記復調手段は、
前記周波数領域のＯＦＤＭ信号からＯＦＤＭキャリアの伝送路特性の推定値を算出し伝送路特性推定値信号を出力する伝送路特性推定手段と、
前記周波数領域のＯＦＤＭ信号に含まれるＴＭＣＣ信号を復号してＯＦＤＭパラメータ信号及びインタリーブ長信号を出力するＴＭＣＣ信号復号手段と
前記周波数領域のＯＦＤＭ信号を伝送路特性推定値信号で除算し除算複素数信号を出力する除算手段と、
前記インタリーブ長信号から量子化ビット幅を算出し量子化ビット幅信号を出力する量子化ビット幅決定手段と、
量子化ビット幅信号に応じて、前記除算複素数信号と前記伝送路特性推定値信号の量子化を行い前記デインタリーブ手段に出力する量子化手段と、
を備えたことを特徴とする請求項１に記載のＯＦＤＭ受信装置。
【請求項３】
前記インタリーブ長信号が示すインタリーブの長さが減少すると、前記デインタリーブ信号のビット幅が増加することを特徴とした請求項１または２記載のＯＦＤＭ受信装置。
【請求項４】
前記復調手段はＯＦＤＭキャリアに含まれるノイズ量を検出して、検出したノイズ量を示すノイズ量信号を出力するノイズ量検出手段を備え、
前記デインタリーブ信号を硬判定または軟判定するデマッピング手段は、前記ノイズ量信号が示すノイズ量が多いと判断したキャリアについては信号の尤度を低くすることを特徴とする請求項１乃至３に記載のＯＦＤＭ受信装置。
【請求項５】
複数のアンテナ備え、前記複数のアンテナで受信した放送波をそれぞれ異なる周波数で選局し復調することが可能なＯＦＤＭ受信装置であって、
第１の復調手段から第１の除算複素信号、第１の伝送路特性推定値信号及び第１のＯＦＤＭパラメータ信号とが入力され、第２の復調手段から第２の除算複素信号、第２の伝送路特性推定値信号及び第２のＯＦＤＭパラメータ信号とが入力され、それぞれ合成し、合成後の除算複素信号、合成後の伝送路特性推定値信号及び合成後のＯＦＤＭパラメータ信号を出力する合成手段と、
前記合成後のＯＦＤＭパラメータ信号に基づき、前記合成後の除算複素信号を周波数及び時間方向に並び替え、デインタリーブ信号を出力するデインタリーブ手段とを備え、
選局した周波数が異なり、前記第１のＯＦＤＭパラメータ信号が示すインタリーブ長と前記第２のＯＦＤＭパラメータ信号が示すインタリーブ長とが一致し、且つ、前記第１のＯＦＤＭパラメータ信号が示すインタリーブ長と前記第２のＯＦＤＭパラメータ信号が示すインタリーブ長が所定の値より小さい場合に、
前記合成手段は、
第１の除算複素信号と第２の除算複素信号、第１の伝送路特性推定値信号と第２の伝送路特性推定値信号及び第１のＯＦＤＭパラメータ信号と第２のＯＦＤＭパラメータ信号を多重し、前記デインタリーブ手段に出力することを特徴とするＯＦＤＭ受信装置。
【発明の詳細な説明】
【技術分野】
【０００１】
本発明は、ＯＦＤＭ変調方式により変調がなされた信号の復調技術に関する。
【背景技術】
【０００２】
現在、放送のデジタル化が進められている。
【０００３】
例えば、日本や欧州において、地上デジタルテレビジョン放送方式として直交周波数分割多重（以下ＯＦＤＭ）伝送方式が採用されている。ＯＦＤＭ変調方式は、従来の地上アナログテレビジョン放送方式などのシングルキャリアを用いた伝送方式とは異なり、数千本のキャリアを用いて信号系列を伝送する。多数のキャリアを用いたマルチキャリア変調により信号を伝送するため、シンボル期間を長くすることが可能となる。
【０００４】
さらに、日本の地上デジタルテレビジョン放送方式では、時間インタリーブおよび周波数インタリーブと呼ばれる仕組みが採用されている。インタリーブ処理により、信号の送信側であらかじめ規定された順序でデータを時間方向及び周波数方向に並び替え、受信側で元に戻す処理を行っている（デインタリーブと呼ばれる）。インタリーブ処理およびデインタリーブ処理を行うことにより、受信信号系列中のある箇所に受信誤りが集中した場合に、受信信号品質を改善することが可能である。例えば、車などの移動体においてテレビ信号を受信する際、急激に信号レベルが変動することがある。受信する信号レベルが弱くなった場合には、受信信号がノイズに埋もれてしまうため、受信誤りを持つデータが受信信号系列中の一定区間に集中する。このとき、受信した信号を一定の範囲内に並び替えることにより受信誤りを持つデータを分散させることが可能となる。受信誤りを分散させた結果、誤り訂正処理を行う単位ブロックあたりの受信誤りデータの比率を抑えることができ、誤り訂正符号処理による誤り訂正効果を高めることができる。
【０００５】
ところで、インタリーブおよびデインタリーブ処理は、データを一定期間内で並び替えている。データの並び替えには、メモリ等の記憶手段を用いてデータを記憶しておく必要がある。インタリーブ期間が長いほど、バースト誤りに対する耐性へ高くなる一方、必要とする記憶手段の回路規模が増大する。特に、デインタリーブ処理は放送波の受信側で行われるため、受信機のデインタリーブ処理に要するメモリ回路量の増大は、受信機に与える影響が大きい。
【０００６】
このため、日本の地上デジタルテレビジョン放送方式では、あらかじめ時間インタリーブの長さを規定し、インタリーブ及びデインタリーブ処理に必要とする遅延量の上限を決めている。また、デインタリーブ処理によるメモリ量の削減技術も公知となっており（例えば、特許文献１に記載）、これらの技術によりインタリーブ処理を備えた放送方式が実用化されている。
【０００７】
上述のように、信号の送信時にインタリーブ処理がなされた信号は、受信側にてインタリーブ処理の際に行われたデータの並び替えを元に戻すデインタリーブ処理を行う必要があり、デインタリーブ処理を行う際にはメモリ等の記憶手段に一旦データを記憶させる必要がある。
【０００８】
ところで、日本の地上デジタルテレビジョン放送方式では、ＯＦＤＭキャリア総数を決める伝送モードは３通り設定でき、各伝送モードについてそれぞれ４通りの時間インタリーブの長さを設定できる。そして、デインタリーブ処理に必要とする記憶手段の容量は、最長のインタリーブ期間にあわせて持つ必要がある。
【０００９】
例えば、日本の地上デジタルテレビジョン放送方式において、伝送モードがモード３、インタリーブの長さ（パラメータｉ：ｉ＝０／１／２／４）が最長の場合、データに与える遅延シンボル数ｄとＯＦＤＭキャリアの番号ｌの関係は（数１）のとおりとなる。
【００１０】
【数１】
2008199142.tif 000003
【００１１】
そして、それぞれのＯＦＤＭシンボルについてそれぞれ、遅延シンボル数だけデータを記憶しておく必要があり、１本のキャリアに含まれるデータを表現するのに必要なビット数×キャリア本数×最大の遅延シンボル数の記憶容量を持つ記憶手段が必要となる。
【００１２】
具体的には、日本の地上デジタル放送規格において、伝送モードが３、インタリーブの長さを決めるパラメータｉ＝４のとき、遅延シンボル数の最大値は４０８となる。したがって、遅延シンボル数が最大となるキャリアについては、１キャリア分のデータを表現するために必要なビット数をＮとすると、１本のキャリアあたりＮ×４０８だけのメモリが必要となる。また、インタリーブの長さを決めるパラメータｉ＝２のときには、遅延シンボル数の最大値は２０４と、ｉ＝４の場合と比べて半分となる。この場合、遅延シンボル数が最大となるキャリアについては、１キャリア分のデータを表現するために必要なビット数をＮとすると、Ｎ×２０４だけのメモリが必要となる。
【００１３】
一方、デインタリーブ処理を行うための記憶手段の容量を抑えるために、デインタリーブ処理で並び替えるデータ１つあたりのビット数を削減すると、復調性能が低下する。
【００１４】
従来のＯＦＤＭ受信装置では復調性能の劣化を防止する為に、１キャリア分のデータを表現するために必要なビット数を固定すると共に、最大のインタリーブの長さ（インタリーブの長さを決めるパラメータｉ＝４の場合）にあわせてメモリ容量を確保していた。
【特許文献１】特許第３２３９０８４号公報
【発明の開示】
【発明が解決しようとする課題】
【００１５】
しかしながら、従来のＯＦＤＭ受信装置においては、１キャリア分のデータを表現するために必要なビット数を固定しているため、インタリーブの長さが最大で無い場合（インタリーブの長さを決めるパラメータｉ＝２の場合など）には、メモリが一部しか使用されておらず、未使用のメモリ領域を復調性能の向上に有効に活用できていないという課題があった。
【００１６】
本発明の目的は、メモリ容量の増大を抑えつつ、且つ、当該メモリ容量とインタリーブの長さに応じて、１キャリア分のデータを表現するために必要なビット数を最適に設定することにより、復調性能が向上するＯＦＤＭ受信装置を提供することである。
【課題を解決するための手段】
【００１７】
上記の課題を解決するために、本発明におけるＯＦＤＭ受信装置は、周波数領域のＯＦＤＭ信号が入力され、ＯＦＤＭキャリアの伝送路特性の推定値である伝送路特性推定値信号、周波数領域のＯＦＤＭ信号を伝送路特性推定値信号で除算した除算複素信号、周波数領域のＯＦＤＭ信号に含まれるＴＭＣＣ信号を復号し得られるＯＦＤＭパラメータ信号及び除算複素信号及び伝送路特性推定値信号の量子化ビット幅を示す量子化ビット幅信号を出力する復調手段と、ＯＦＤＭパラメータ信号及び量子化ビット幅信号に基づき、除算複素信号を周波数及び時間方向に並び替え伝送路特性推定値信号とともに、デインタリーブ信号として出力するデインタリーブ手段とを備え、ＯＦＤＭパラメータ信号に含まれるインタリーブ長信号に応じて、デインタリーブ手段が出力するデインタリーブ信号のビット幅を変更することを特徴とする。例えば、インタリーブの長さが最長の場合には、１キャリアのデータのビット数をＮと設定し、インタリーブの長さが半分になれば、１キャリアのデータのビット数を最大２Ｎまで大きくする。
【００１８】
また、インタリーブの長さが最長である設定が通常用いられることが少なく、インタリーブの長さが最長の値の半分となる設定が通常用いられるような場合には、デインタリーブ手段にて扱うデータについて、インタリーブの長さが最大の値の半分のときに十分な復調性能が得られるようなビット幅Ｎを割り当てておく。そして、インタリーブの長さが最長の値となった場合には、デインタリーブ手段にて扱うデータのビット幅をＮ／２とすることもできる。
【発明の効果】
【００１９】
インタリーブの長さが最長の値では無い設定で送信された信号を受信する場合、デインタリーブ手段にて扱うデータを表現するためのビット数を、メモリ手段のメモリ容量の増加を伴わずに増やすことができ、その結果、デインタリーブ処理よりも後段に伝える信号のビット精度を高め、復調性能を向上させることが可能となる。
【００２０】
また、インタリーブの長さが最長の設定が用いられる頻度が低い場合においては、インタリーブの長さが最長の値より短い場合に対して最適なメモリ容量を保持しておくことで回路規模の増大を防ぐ一方、インタリーブの長さが最長の設定が適用された信号を受信した場合にも、信号の復調処理が可能となる。
【発明を実施するための最良の形態】
【００２１】
（実施の形態１）
本発明の一実施の形態によるＯＦＤＭ受信装置を図面を用いて説明する。
【００２２】
図１は、本発明の一実施の形態によるＯＦＤＭ受信装置の構成を示すブロック図である。
【００２３】
図１において、本実施の形態によるＯＦＤＭ受信装置はアンテナ手段１０１、選局手段１０２、チューナ手段１０３、Ａ／Ｄ変換手段１０４、直交検波手段１０５、同期手段１０６、周波数変換手段１０７、復調手段１０８、デインタリーブ手段１０９、デマッピング手段１１０、ビットデインタリーブ手段１１１、誤り訂正手段１１２、記憶手段１１３で構成される。
【００２４】
アンテナ手段１０１は、放送局から送信される放送電波を電気信号に変換し出力する。
【００２５】
選局手段１０２は、ユーザーやプログラム等からの指示に応じて、チューナ手段１１２で選局する周波数帯域を指定する。
【００２６】
チューナ手段１０３は、アンテナ手段１０１より得られた電気信号から選局手段１０２から指定された特定の周波数帯域の信号を抽出し、ベースバンドもしくは一定の周波数帯域のアナログ信号へと変換する。
【００２７】
Ａ／Ｄ変換手段１０４は、チューナ手段１０３から得られたアナログ信号をデジタル信号へと変換する。
【００２８】
直交検波手段１０５は、Ａ／Ｄ変換手段１０４より得られたデジタル信号を、ベースバンドのＯＦＤＭ信号へと変換する。ここでベースバンドのＯＦＤＭ信号とは、送信局において信号をＯＦＤＭ変調した際と同じ帯域の信号を指す。これは、チューナ手段１０３の構成によって、Ａ／Ｄ変換手段１０４に出力するアナログ信号が、例えば周波数帯域の中央値が４ＭＨｚや５７ＭＨｚといった中間周波数（ＩＦ）帯域の信号となる場合があるためである。
【００２９】
同期手段１０６は、直交検波手段１０５から得られたベースバンドのＯＦＤＭ信号を入手する。そして、ベースバンドのＯＦＤＭ信号の検波を行い、送信信号と復調手段の持つ周波数基準信号との周波数誤差を算出し補正する。また、ベースバンドのＯＦＤＭ信号に対して、ＯＦＤＭシンボル期間とガードインターバル期間の位置を算出し、最も前後のシンボルの干渉が少なくなるようなＯＦＤＭシンボル期間の長さの信号を選択し、周波数変換手段１０７に出力する。
【００３０】
周波数変換手段１０７は、同期手段１０６にて選択出力した有効シンボル期間と同じ長さのＯＦＤＭ信号を、例えばＦＦＴ演算処理によって周波数領域のＯＦＤＭ信号へと変換し、復調手段１０８に対して出力する。周波数領域のＯＦＤＭ信号は、ＦＦＴ演算処理のＦＦＴポイント数に応じた数の複素信号となり、ＯＦＤＭキャリア周波数に相当するデータを取り出すことにより、ＯＦＤＭキャリア１本あたりの信号を入手することができる。なお、ＦＦＴ演算処理のＦＦＴポイント数は、ＯＦＤＭ信号の伝送モードから決まり、伝送モードはＯＦＤＭ信号の変調の際に、あらかじめ決められた伝送モードの中から選択設定される。
【００３１】
復調手段１０８は、周波数変換手段１０７より得られる周波数領域のＯＦＤＭ信号を入手する。まず、周波数領域のＯＦＤＭ信号の特定のＯＦＤＭキャリア位置に挿入されたＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  ａｎｄ  Ｃｏｎｔｒｏｌ）信号を抽出・復調することで、ＯＦＤＭ信号を復調するために必要となる各種パラメータ情報（階層別のキャリア変調方式・畳み込み符号化率、インタリーブ長、セグメント数など。以下、ＯＦＤＭパラメータ信号と称する）を入手する。
【００３２】
さらに、復調手段１０８は、周波数領域のＯＦＤＭ信号からパイロット信号を抽出する。パイロット信号は、ＴＭＣＣ信号と同様に、ＯＦＤＭ信号の変調時に伝送規格に従って埋め込まれる箇所が決められており、周波数および時間方向に一定間隔となるようなＯＦＤＭキャリア位置に配置されている。このため、復調手段１０８は、パイロット信号の存在するＯＦＤＭキャリア位置の周波数領域のＯＦＤＭ信号を抽出し、抽出した信号を基準値（既知の振幅と位相）と比較し振幅と位相の変化を求めることで、パイロット信号の存在したＯＦＤＭキャリアの伝送路特性（振幅と位相のずれの程度）を算出することができる。
【００３３】
次に、復調手段１０８は、パイロット信号は既知パタンの信号である特徴を利用して、全てのＯＦＤＭキャリアの伝送路特性を算出する。上述の方法によりパイロット信号が含まれるＯＦＤＭキャリアの伝送路特性の推定結果が得られており、さらにパイロット信号より求めた伝送路特性を時間方向および周波数方向に補間することで、パイロット信号の周辺のＯＦＤＭキャリアの伝送路特性を推定することが可能となる。そして、周波数変換手段１０７より入手した周波数領域のＯＦＤＭ信号を、それぞれの信号に対応する伝送路特性（推定結果）で除算する。受信信号を伝送路特性の推定値で除算することで、送信信号点の推定値を得ることができる。
【００３４】
そして、除算結果の複素信号である除算複素信号とＯＦＤＭキャリアそれぞれの伝送路特性の推定値の大きさ（例えば、伝達関数のパワー）を示す信号である伝送路特性推定値信号をデインタリーブ手段１０９に出力する。また、除算複素信号と伝送路特性推定値信号が含まれていたＯＦＤＭキャリア位置を示すための、シンボル番号とキャリア番号を示す信号と、ＴＭＣＣ信号を復号し得られるＯＦＤＭパラメータ信号も同時にデインタリーブ手段１０９に出力する。なお、除算複素信号及び伝送路特性推定値信号をデインタリーブ手段１０９に出力する際に、各信号を量子化する必要がある。例えば、各信号の量子化ビット幅を、除算複素信号については、実数部と虚数部をそれぞれ８ビットに、伝送路特性推定値信号は４ビットに設定して、ＯＦＤＭキャリア１本あたり、２０ビット（８ビット＋８ビット＋４ビット）のデータとして出力することが可能である。また、データの転送スピードを２倍とし、実数部と虚数部を分けて出力することで、一度に出力するビット数を半分にすることも可能である。本実施の形態では、インタリーブの長さに応じて、出力する信号の量子化ビット幅を変更する。インタリーブの長さから量子化のビット幅を決定する構成の詳細は後述する。
【００３５】
デインタリーブ手段１０９は、復調手段１０８より得られたＯＦＤＭキャリア単位の除算複素信号と伝送路特性推定値信号と、除算複素信号と伝送路特性推定値信号が含まれていたＯＦＤＭキャリア位置を示すための、シンボル番号とキャリア番号を示す信号と、ＴＭＣＣ信号を復号し得られるＯＦＤＭパラメータ信号を入手する。さらに、デインタリーブ手段１０９は、復調手段１０８より量子化のビット幅を示す情報を含む信号である量子化ビット幅信号を入手する。そして、除算複素信号を周波数及び時間方向に並び替えることにより、信号の送信時に行われたデータの並び替え（インタリーブ処理）を元に戻す処理を行う。
【００３６】
除算複素信号の並び替えの方法は、あらかじめ規定されており、例えば、日本の地上デジタルテレビジョン放送方式では、復調手段１０８でＴＭＣＣ信号を復調した際に得られるパラメータ（インタリーブの長さに関するパラメータ）から時間方向の並び替え規則を判断し、ＯＦＤＭ信号の伝送モードから周波数方向の並び替え規則を判断している。データの並び替えの際には、メモリ等の記憶手段１１３を使用する。デインタリーブ手段１０９はデータを並び替えると、デインタリーブ信号を出力する。また、復調手段１０８より入手したＴＭＣＣ信号を復号し得られるＯＦＤＭパラメータ信号と、ＯＦＤＭキャリア番号を示す信号とを出力する。デインタリーブ手段１０９によるデータの並び替えの詳細については後述する。
【００３７】
デマッピング手段１１０は、デインタリーブ手段１０９より得られたデインタリーブ信号の持つ情報をもとに信号の持つビットデータを復元する。デインタリーブ手段１０９より得られた除算複素信号は、振幅および位相の情報を持ち、ＯＦＤＭキャリア番号を示す信号と、ＴＭＣＣ信号を復号し得られた情報をもとにして、それぞれの除算複素信号に対して施されたキャリア変調方式を判別し、判別結果を用いてビットデータを復元する。
【００３８】
ビットデータの復元は、復調手段１０８で求めた送信信号点の推定値（周波数領域のＯＦＤＭ信号を伝送路特性の推定値で除算した除算複素信号）と、キャリア変調方式（例えば１６ＱＡＭや６４ＱＡＭなど）に従って決められたマッピング点とを比較することで行われる。例えば、送信信号点の推定値に対して最も近いマッピング点を求め、最も近いマッピング点に割り当てられた符号列が送信符号列であったと仮定する硬判定と呼ばれる方法や、硬判定結果にさらに、送信信号点の推定値とマッピング点との距離の情報や、送信信号点の推定値が含まれたＯＦＤＭキャリアの伝送路特性の推定値の大きさの情報から送信符号列の信頼性の情報を追加し、誤り訂正処理の際に信頼性情報を考慮して誤り訂正符号処理を行う軟判定処理と呼ばれる方法が用いられる。そして、デマッピング手段１１０は、送信信号点の推定値から算出したビットデータをビットデインタリーブ手段へと出力する。硬判定処理の場合は、０または１のビット列を出力し、軟判定処理の場合には、「０らしさ」と「１らしさ」を離散値で出力する。デマッピング手段１１０によるビットデータの算出の詳細については後述する。
【００３９】
次に、ビットデインタリーブ手段１１１は、デマッピング手段１１０の出力値の並び替えを行う。並び替えの方法は、デインタリーブ手段１０９と同様にあらかじめ規定されており、信号の変調時に施されたデータ並び替えを元に戻す処理が行われる。
【００４０】
誤り訂正手段１１２は、ビットデインタリーブ手段１１１より入手したビットデータ列または各ビットデータの信頼性値（０らしさ／１らしさ）を用いて誤り訂正符号処理を行う。この際、ビタビ復号と呼ばれる誤り訂正方法が用いられることが多く、さらにリードソロモン訂正符号を組み合わせることが多い。なお、誤り訂正方法については、信号の変調側の符号化器において規定された符号化方法に従う。そして、例えばトランスポートストリームと呼ばれるデータ系列の信号を出力する。
【００４１】
記憶手段１１３はデインタリーブ手段１０９がデータの並び替えの際に用いる記憶手段である。
【００４２】
次に、本実施の形態におけるＯＦＤＭ受信装置の復調手段１０８、デインタリーブ手段１０９、デマッピング手段１１０及び記憶手段１１３の構成及び動作についてさらに詳細に説明する。図２は、本実施の形態によるＯＦＤＭ受信装置の復調手段１０８、デインタリーブ手段１０９及びデマッピング手段１１０の構成の詳細を示すブロック図である。
【００４３】
復調手段１０８は、伝送路特性推定手段２０１、除算手段２０２、ＴＭＣＣ信号復号手段２０３、量子化ビット幅決定手段２０４および量子化手段２０５で構成される。
【００４４】
伝送路特性推定手段２０１は、パイロット信号の存在するＯＦＤＭキャリア位置の周波数領域のＯＦＤＭ信号を抽出し、抽出した信号を基準値（既知の振幅と位相）と比較し振幅と位相の変化を求めることで、パイロット信号の存在したＯＦＤＭキャリアの伝送路特性（振幅と位相のずれの程度）を算出する。そして、パイロット信号より求めた伝送路特性を時間方向および周波数方向に補間することで、パイロット信号の周辺のＯＦＤＭキャリアの伝送路特性を推定する。そして伝送路特性の推定結果である伝送路特性推定値信号を除算手段２０２と、量子化手段２０５に対して出力する。
【００４５】
除算手段２０２は、周波数変換手段１０７より入手した複素信号を、伝送路特性推定手段２０１より入手した伝送路特性推定値信号で除算し、除算複素数信号を算出する。そして、除算複素数信号を量子化手段２０５に対して出力する。除算の際には、周波数変換手段１０７より入手した信号が含まれていたキャリアに相当する伝送路特性推定値信号で除算する必要がある。また、除算手段２０２は、出力する除算複素数信号のシンボル番号とキャリア番号を示す信号を量子化手段２０５に対して出力する。
【００４６】
ＴＭＣＣ信号復号手段２０３は、特定のＯＦＤＭキャリア位置に挿入されたＴＭＣＣ信号を抽出・復調し、各種パラメータ情報（階層別のキャリア変調方式・畳み込み符号化率、インタリーブ長、セグメント数など）を検知し、ＯＦＤＭパラメータ信号としてデインタリーブ手段１０９とともにインタリーブ長を示すインタリーブ長信号を量子化ビット幅決定手段２０４に通知する。
【００４７】
量子化ビット幅決定手段２０４は、ＴＭＣＣ復号手段２０２からインタリーブ長信号を入手する。そして、量子化ビット幅決定手段２０４は、入力されたインタリーブ長信号を基に量子化ビット幅を算出し、量子化ビット幅信号を量子化手段２０４とデインタリーブ手段１０９に対して出力する。
【００４８】
量子化手段２０５は、除算手段２０２から除算複素数信号とシンボル番号とキャリア番号を示す信号を入手する。伝送路特性推定手段２０１から伝送路特性推定値信号を入手する。また量子化ビット幅決定手段から量子化ビット幅信号を入手する。そして、量子化ビット幅信号に応じて、除算複素数信号と伝送路特性推定値信号の量子化を行いデインタリーブ手段１０９に対して出力する。また、シンボル番号とキャリア番号を示す信号はそのままデインタリーブ手段１０９に対して出力する。
【００４９】
ここで、量子化ビット幅の算出方法についてさらに詳細に説明する。量子化手段２０５は、量子化ビット幅決定手段２０４からの指示に基づいて信号の量子化を行う。インタリーブの長さが最も長い場合に、１つのＯＦＤＭキャリアの信号あたりのデータのビット幅をＮビットと設定する。例えば、除算複素信号を、実数部と虚数部それぞれ８ビット、伝送路特性推定値信号を４ビットとして出力する場合には、データのビット幅は２０ビットとなる。
【００５０】
インタリーブの長さが最大値の半分の場合には、１つのＯＦＤＭキャリアの信号あたりのデータのビット幅を２Ｎビットと設定する。例えば、インタリーブの長さが最長の場合に合計２０ビットのデータまで出力していたとすると、インタリーブの長さが最大値の半分の場合には、合計４０ビットのデータを出力する。このとき、除算複素信号は実数部と虚数部それぞれ１６ビット、伝送路特性推定値信号を８ビットというような組み合わせが可能となる。
【００５１】
また、必ずしもデータのビット幅を２Ｎビットと設定せず、Ｎから２Ｎの間の適当な値と設定することも可能であるし、さらに余分な情報を後段に出力することも可能である。
【００５２】
次に、デインタリーブ手段１０９の動作を説明する。デインタリーブ手段１０９は、量子化手段２０５から除算複素数信号と、除算複素数信号のシンボル番号とキャリア番号を示す信号と伝送路特性推定値信号を入手し、ＴＭＣＣ信号復号手段２０３からＴＭＣＣ信号の復号結果のＯＦＤＭパラメータ信号を入手し、量子化ビット幅決定手段２０４から量子化手段２０５にて行った量子化方法を示す量子化ビット幅信号を入手する。そして、送信時に行われたデータの並び替え規則を元に戻す処理を行う。このとき、インタリーブの長さに応じて復調手段１０８から得られる除算複素数信号と伝送路特性推定値信号のビット幅が変更されるため、量子化ビット幅決定手段２０４より得られる量子化ビット幅信号に応じてメモリ等の記憶手段１１３の利用方法を変更する。
【００５３】
以下に、記憶手段１１３の利用方法について詳細に説明する。
【００５４】
デインタリーブ手段１０９に備える記憶手段１１３の記憶容量が、アドレス数がＭ、ワード数がＮ（インタリーブの長さが最大の場合のデータのビット幅Ｎと同じである）である場合を例として説明する。インタリーブの長さが最大で、復調手段１０８から１データあたりＮビットのデータを入手する場合には、１つのデータに対して１つのアドレスを用いてデータの書き込みと読み出しを行う。
【００５５】
インタリーブの長さが最大値の半分で、復調手段１０８から２Ｎのビット幅のデータを入手する場合には、１つのデータに対して２つのアドレスを用いてデータの書き込みと読み出しを行う。インタリーブの長さが最大値の４分の１で、復調手段１０８から４Ｎのビット幅のデータを入手する場合には、１つのデータに対して４つのアドレスを用いてデータの書き込みと読み出しを行う。
【００５６】
デインタリーブ手段１０９は、後段のデマッピング手段１１０に対して、除算複素信号を並び替え、並び替え後のデータであるデインタリーブ信号を出力する。出力方法は、インタリーブの長さに応じてデータのビット幅を増減させてもよいし、例えば、２Ｎのビット数を出力する場合には、２回に分けてビット数Ｎのデータを出力し、後段のデマッピング手段１１０で２Ｎのビット幅のデータに復元させてもよい。
【００５７】
デマッピング手段１１０は、デインタリーブ手段１０９より得られたデインタリーブ信号をもとにデータを復元する。上述のように、インタリーブの長さに応じて、例えばビット幅がＮ、２Ｎ、４Ｎ・・と変化する。
【００５８】
このため、デマッピング手段１１０は、デインタリーブ手段１０９より得られる情報が取りうる最大のビット数に応じて計算を行うようにしておき、インタリーブの長さが最も長い場合などビット数が不足する場合には、不足箇所を０と置き換えて処理する。この結果、デインタリーブ手段１０９から得られるデータのビット幅が変更されても、デマッピング手段１１０の内部処理はインタリーブの長さに関係なく行うことが可能となる。
【００５９】
デマッピング手段１１０は、デマッピング手段の出力信号を硬判定処理結果とする場合は、０または１のビット列を出力し、軟判定処理結果とする場合には、「０らしさ」と「１らしさ」を離散値で出力するが、別途入手したキャリア単位に得られた情報を用いて、硬判定処理結果または軟判定処理結果を補正することも可能である。例えば、特定のキャリアについて、ノイズ量が大きいと判断した場合には、「０らしさ」と「１らしさ」が同等とするように出力値を補正し、後段の誤り訂正手段において誤り訂正処理に用いないようにすることが可能となる。
【００６０】
かかる構成によると、インタリーブ長が最大で無い場合には、量子化ビット幅を大きくすることができ、復調性能を向上させることができる。
【００６１】
なお、本実施の形態ではインタリーブの長さが最大の場合を基準として１つのデータを表現するために必要なビット数Ｎを設定したが、ビット数Ｎが少なくなるほど、信号の復調性能が低下する。このため、１つのデータを表現するために必要なビット数Ｎの設定は、インタリーブの長さが最大の設定で信号を送信する頻度が低い場合などには、ビット数Ｎの値を小さくしてもよい。この結果、インタリーブの長さが最大の設定で送信された信号の復調性能は低下するが、後段のデインタリーブ手段１０９で必要とするメモリ回路等の記憶手段１１３の容量を小さくすることができる。そして、最も頻繁に用いられるインタリーブの長さに対して、最適なビット幅Ｎを設定すればよい。
【００６２】
また、本実施の形態では復調手段１０８では、送信信号点の除算複素信号と伝送路特性推定値信号を出力していたが、さらにＯＦＤＭキャリアに含まれるノイズ量の情報などを後段に伝えることも可能となる。例えば、インタリーブの長さが最長の場合に合計２０ビットのデータまで出力していたとすると、除算複素信号は、実数部と虚数部それぞれ１２ビット、伝送路特性推定値信号を６ビットとし、合計３０ビットのデータを出力し、さらに残りの１０ビットを用いてキャリア毎に含まれるノイズ量の情報などを出力することも可能となる。
【００６３】
これは、ＯＦＤＭ信号に周波数選択性のノイズが含まれている場合に、キャリア位置によって信号に含まれるノイズ量が異なるため、別途、ＯＦＤＭキャリア毎に信号に含まれるノイズ量を算出しておき、デマッピング手段１１０にてノイズ量の多いと判定したキャリアについては、信号の尤度（信頼性）を低く設定する。
【００６４】
（実施の形態２）
本発明の実施の形態に係るＯＦＤＭ受信装置を図面を用いて説明する。
【００６５】
図３は、従来のＯＦＤＭ受信装置の構成を示すブロック図である。
【００６６】
図３において、３０１はアンテナ手段ａ、４０１はアンテナ手段ｂ、３０２はチューナ手段ａ、４０２はチューナ手段ｂ、３０３はＡ／Ｄ変換手段ａ、４０３はＡ／Ｄ変換手段ｂ、３０４は直交検波手段ａ、４０４は直交検波手段ｂ、３０５は同期手段ａ、４０５は同期手段ｂ、３０６は周波数変換手段ａ、４０６は周波数変換手段ｂ、３０７は復調手段ａ、４０７は復調手段ｂ、３０８は合成手段、３０９はデインタリーブ手段、３１０は記憶手段、３１１はデマッピング手段ａ、４１１はデマッピング手段ｂ、３１２はビットデインタリーブ手段ａ、４１２はビットデインタリーブ手段ｂ、３１３は誤り訂正手段ａ、４１３は誤り訂正手段ｂ、３１４は選局手段である。実施の形態１において説明に用いた図１とは、アンテナ手段から復調手段までと、デマッピング手段から誤り訂正手段までをそれぞれ２系統を備えている点と、合成手段と選局手段をさらに備えている点が異なる。このうち、アンテナ手段ａ３０１から周波数変換手段ａ３０６およびアンテナ手段ｂ４０１から周波数変換手段ｂ４０６までのそれぞれの動作は、実施の形態１で図１に記載のアンテナ手段１０１から周波数変換手段１０７までの動作と同一である。また、図３のビットデインタリーブ手段ａ３１２から誤り訂正手段ａ３１３と、ビットデインタリーブ手段ｂ４１２から誤り訂正手段ｂ４１３までのそれぞれの動作は、実施の形態１で説明した図１に記載のビットデインタリーブ手段１１１と誤り訂正手段１１２の動作と同一である。このため、実施の形態２では、復調手段ａ３０７、復調手段ｂ４０７、合成手段３０８、デインタリーブ手段３０９、記憶手段３１０、デマッピング手段ａ３１１、デマッピング手段ｂ４１１および選局手段３１４の動作の説明を行う。
【００６７】
図３の選局手段３１４は、ユーザーやプログラム等からの指示に応じて、チューナ手段ａ３０２とチューナ手段ｂ４０２で選局する周波数帯域を指定する。チューナ手段ａ３０２とチューナ手段ｂ４０２は同じ周波数を選局してもよいし、異なる周波数をそれぞれ選局してもよい。
【００６８】
復調手段ａ３０７と復調手段ｂ４０７は同一の動作を行う。実施の形態１で説明した復調手段１０８とは、インタリーブの長さに応じて出力するデータのビット幅を変更しない点が異なる。また、復調処理の過程でＴＭＣＣ信号を復号し得られたＯＦＤＭパラメータ信号や、シンボル番号とキャリア番号を示す信号を合成手段３０８に通知する点が異なる。
【００６９】
復調手段ａ３０７と復調手段ｂ４０７はそれぞれ、実施の形態１で説明したとおり、パイロット信号が既知パタンの信号である特徴を利用して、全てのＯＦＤＭキャリアの伝送路特性を算出する。さらに、パイロット信号より求めた伝送路特性を時間方向および周波数方向に補間することで、パイロット信号の周辺のＯＦＤＭキャリアの伝送路特性を推定する。そして、周波数変換手段ａ３０６または周波数変換手段ｂ４０６より入手した周波数領域のＯＦＤＭ信号を、それぞれの信号に対応する伝送路特性（推定結果）で除算する。受信信号を伝送路特性の推定値で除算することで、送信信号点の推定値を得ることができる（これを除算複素信号とする）。
【００７０】
そして、除算複素信号とＯＦＤＭキャリアそれぞれの伝送路特性の推定値の大きさ（例えば、伝達関数のパワー）を示す信号（これを伝送路特性推定値信号とする）を合成手段３０８にそれぞれ出力する。なお、除算複素信号及び伝送路特性推定値信号を合成手段３０８に出力する際に、各信号を量子化する必要がある。例えば、各信号の量子化ビット幅を、除算複素信号については、実数部と虚数部をそれぞれ８ビット、伝送路特性推定値信号は４ビットに設定し、ＯＦＤＭキャリア１本あたり、２０ビット（８ビット＋８ビット＋４ビット）のデータとして出力する。また、データの転送スピードを２倍とし、実数部と虚数部を分けて出力することで、一度に出力するビット数を半分にすることも可能である。この際には、どちらの信号が実数部であるかを判別するための信号を出力するか、ＯＦＤＭキャリア番号の先頭を示す信号からどちらの信号が実数部であるか判別できるよう規則的に信号を並べておく必要がある。
【００７１】
次に、合成手段３０８は、復調手段ａ３０７と復調手段ｂ４０７から、除算複素信号と、伝送路特性推定値信号と、ＴＭＣＣ信号の復号結果より得られるＯＦＤＭパラメータ信号と、除算複素信号と伝送路特性推定値信号が含まれていたシンボル番号とＯＦＤＭキャリア番号を示す信号をそれぞれ入手する。また、合成手段３０８は、選局手段３１４から、チューナ手段ａ３０２とチューナ手段ｂ３０４の選局指示情報を入手する。選局指示情報は、復調手段ａ３０７と復調手段ｂ４０７からそれぞれ得られる信号が、同じ放送波を受信した結果得られた信号か否かを示す。これは、合成手段３０８が、復調手段ａ３０７と復調手段ｂ４０７が同一の放送波を受信した場合と、異なる放送波を受信した場合とで異なる動作を行うため必要である。
【００７２】
まず、復調手段ａ３０７と復調手段ｂ４０７が同じ放送波を受信した場合について説明する。復調手段ａ３０７と復調手段ｂ４０７は、各復調手段より入手した除算複素信号と、伝送路特性推定値信号とを合成した結果をデインタリーブ手段３０９に対して出力する。
【００７３】
除算複素信号及び伝送路特性推定値信号の合成方法は、例えばＯＦＤＭ信号のサブキャリア単位で重み付け比を算出し、送信信号点の推定値と、伝送路特性の推定値の信号をそれぞれ重み付け合成する。重み付け比の算出方法は最大比合成と呼ばれる方法に従って算出するのが望ましく、サブキャリア単位でそれぞれの信号に含まれるノイズのパワーを算出し、合成結果の信号に含まれるノイズ量が最も小さくなるように重み付け比を設定する。
【００７４】
合成手段３０８がデインタリーブ手段３０９に対して出力する除算複素信号と、伝送路特性推定値信号のビット幅は、復調手段ａ３０７および復調手段ｂ４０７より入手した際と同じビット幅とする。
【００７５】
なお、合成手段３０８の構成を簡略化するために、ＯＦＤＭキャリア単位に、信号品質の高い信号の重み付け比を１に、信号品質の低い信号の重み付け比を０と設定し、一方の信号を選択する構成としたり、受信した信号の振幅比に応じてＯＦＤＭキャリア単位に信号を重み付け合成することも可能である。
【００７６】
次に、復調手段ａ３０７と復調手段ｂ４０７が異なる放送波を受信した場合について説明する。合成手段３０８は、復調手段ａ３０７と復調手段ｂ４０７より除算複素信号と、伝送路特性推定値信号とをそれぞれ入手する。そして、別途復調手段ｂ４０７より入手したＴＭＣＣ信号の復号結果のＯＦＤＭパラメータ信号からインタリーブの長さを示すインタリーブ長信号を入手する。インタリーブ長信号を階層別に比較し、インタリーブの長さが最長のパラメータ設定でなく、同一のインタリーブ長であった場合において、復調手段ａ３０７と復調手段ｂ４０７より得られた除算複素信号と、伝送路特性推定値信号の両方を多重しデインタリーブ手段３０９に出力する。例えば、それぞれの復調手段より得られた除算複素信号は実数部と虚数部をそれぞれ８ビット、伝送路特性推定値信号は４ビットである場合、出力する除算複素信号は実数部と虚数部をそれぞれ１６ビット、伝送路特性推定値信号を８ビットとしてデインタリーブ手段３０９に出力する。このとき、復調手段ａ３０７から得られた信号を上位ビットに、復調手段ｂ４０７から得られた信号を下位ビットに割り当てることにより、後段にて簡単にデータを分割可能である。階層別にインタリーブの長さを比較した結果、インタリーブの長さが最長のパラメータ設定であったり、２つの信号のインタリーブの長さが異なる場合には、復調手段ａ３０７または復調手段ｂ４０７のいずれか一方の信号をそのまま出力する。なお、インタリーブ長信号は、階層別のインタリーブの長さの情報となっており、階層毎にインタリーブの長さを判別し、出力するビット数を変更すればよい。
【００７７】
また、復調手段ａ３０７および復調手段ｂ４０７より入手したＴＭＣＣ信号の復号結果より得られるＯＦＤＭパラメータ信号と、除算複素信号と伝送路特性推定値信号が含まれていたシンボル番号とＯＦＤＭキャリア番号を示す信号とをそれぞれデインタリーブ手段３０９に対して出力する。
【００７８】
次に、デインタリーブ手段３０９の動作を説明する。デインタリーブ手段３０９は、合成手段３０８から出力される除算複素信号と、伝送路特性推定値信号と、ＴＭＣＣ信号の復号結果より得られるＯＦＤＭパラメータ信号と、除算複素信号と伝送路特性推定値信号が含まれていたシンボル番号とＯＦＤＭキャリア番号を示す信号とを入手する。
【００７９】
ここで図４を用いてデインタリーブ手段３０９の動作を説明する。図４のフロー図は、合成手段３０８とデインタリーブ手段３０９の処理内容を示した図である。図４においてステップＳ１からステップＳ７までが合成手段３０８での処理であり、ステップＳ８とステップＳ９が、デインタリーブ手段３０９の処理となる。
【００８０】
合成手段３０８は、選局手段３１４からの情報を入手し、チューナ手段ａ３０４とチューナ手段ｂ４０４が異なる周波数の信号を選局しているかを判別する（ステップＳ１）。合成手段３０８は、チューナ手段ａ３０４とチューナ手段ｂ４０４が異なる周波数の信号を選局した場合には、復調手段ａ３０７と復調手段ｂ４０７からそれぞれ入手したＴＭＣＣ信号の復号結果の中から階層毎のインタリーブの長さの情報を抽出・比較する（ステップＳ２）。そして、合成手段３０８は、復調手段ａ３０７と復調手段ｂ４０７の信号について階層毎にインタリーブの長さを比較する（ステップＳ３）。ステップＳ３にて復調手段ａ３０７と復調手段ｂ４０７の信号について階層毎にインタリーブの長さの比較結果が一致した場合は、さらにインタリーブの長さが最長の設定であるかどうかを判別する（ステップＳ４）。合成手段３０８は、ステップＳ４にてインタリーブの長さが最長では無いと判断すると、復調手段ａ３０７と復調手段４０７から入手した信号をそれぞれデインタリーブ手段３０９に出力する（ステップＳ５）。また、合成手段３０８は、ステップＳ３にて復調手段ａ３０７と復調手段ｂ４０７の信号について階層毎にインタリーブの長さの比較結果が一致しない場合と、ステップＳ４にてインタリーブの長さが最長であったと判断した場合には、復調手段ａ３０７と復調手段ｂ４０７より入手した信号の一方をデインタリーブ手段３０９に対して出力する（ステップＳ６）。なお、ステップＳ５とステップＳ６の処理は、階層別に行われる。例えば、復調手段ａ３０７と復調手段ｂ４０７から得られるＯＦＤＭ信号が２階層から構成される場合に、一方の階層についてはステップＳ５の処理を、他方の階層についてはステップＳ６の処理を行っても良い。また、合成手段３０８は、ステップＳ１においてチューナ手段ａ３０４とチューナ手段ｂ４０４が同じ周波数の信号を選局した場合には、復調手段ａ３０７と復調手段ｂ４０７から得られる信号を合成する（ステップＳ７）。
【００８１】
デインタリーブ手段３０９は、合成手段３０８がステップＳ５において２系統の信号を出力した場合には、２系統の信号それぞれについて送信時に行われたデータの並び替え規則を元に戻す処理を行う。そして、一方の系統の信号をデマッピング手段ａ３１１に、他方の系統の信号をデマッピング手段ｂ４１１に出力する（ステップＳ８）。また、デインタリーブ手段３０９は、合成手段３０８がステップＳ６またはステップＳ５において１系統の信号を出力した場合には、１系統の信号について送信時に行われたデータの並び替え規則を元に戻す処理を行う。そしてデマッピング手段ａ３１１に並び替えた信号を出力する。（ステップＳ９）。ステップＳ８とステップＳ９の処理においては、実施の形態１と同様に、メモリ等の記憶手段３１０を用いてデータの書き込みと読み出しを行う。
【００８２】
記憶手段３１０の利用方法について説明する。
【００８３】
デインタリーブ手段３０９が図４のステップＳ９の処理を行う場合には、入手した１系統の除算複素信号及び伝送路特性推定値信号とを、別途入手した各信号が含まれていたＯＦＤＭシンボル番号とＯＦＤＭキャリア番号の情報を用いて記憶手段３１０に書き込む一方、先に記憶手段３１０に記憶させた信号を読み出し出力する。
【００８４】
デインタリーブ手段３０９が図４のステップＳ８の処理を行う場合には、２系統の除算複素信号及び伝送路特性推定値信号を入手し並び替える。１系統の信号を並び替える場合と比較して２倍の信号を処理する必要があるため、記憶手段３１０の書き込みと読み出し速度を２倍の早さとし、２系統の複素信号及び伝送路特性推定値信号をそれぞれ並び替える。
【００８５】
デインタリーブ手段３０９は、後段のデマッピング手段ａ３１１およびデマッピング手段ｂ４１１に対して、並び替え後のデータであるデインタリーブ信号を出力する。また同時に、ＴＭＣＣ信号の復号結果のＯＦＤＭパラメータ信号も後段のデマッピング手段ａ３１１およびデマッピング手段ｂ４１１に対して出力する。
【００８６】
デマッピング手段ａ３１１およびデマッピング手段ｂ４１１は、デインタリーブ手段３０９より得られたデインタリーブ信号をもとにそれぞれデータを復元する。実施の形態１と異なり、インタリーブの長さに応じて、例えばビット幅は変化しない。
【００８７】
なおデマッピング手段ａ３１１およびデマッピング手段ｂ４１１は、デマッピング手段の出力信号を硬判定処理結果とする場合は、０または１のビット列を出力し、軟判定処理結果とする場合には、「０らしさ」と「１らしさ」を離散値で出力するが、別途入手したキャリア単位に得られた情報を用いて、硬判定処理結果または軟判定処理結果を補正することも可能である。例えば、特定のキャリアについて、ノイズ量が大きいと判断した場合には、「０らしさ」と「１らしさ」が同等とするように出力値を補正し、後段の誤り訂正手段において誤り訂正処理に用いないようにすることが可能となる。
【００８８】
図４のステップＳ９の処理の場合には、デマッピング手段４１１、ビットデインタリーブ手段ｂ４１２および誤り訂正手段ｂ４１３は信号が入力されないため動作を行わない。
【００８９】
なお、本実施の形態では、アンテナ手段から復調手段までを２系統として説明したが、アンテナ手段から復調手段までを２系統以上備えた構成としてもよい。例えば、アンテナ手段から復調手段を４系統とし、２系統ずつ同じ周波数の信号を選局し復調する。さらに復調された４系統の信号のうち同じ周波数を選局された信号を合成する。２系統の信号が合成され、これらの信号を図３の合成手段３０８がデインタリーブ手段３０９に出力する。
【産業上の利用可能性】
【００９０】
本発明のＯＦＤＭ受信装置は、インタリーブ処理がなされた信号の復調処理を行い、インタリーブの長さが最長の値では無い設定で送信された信号を受信する場合には、デインタリーブ手段にて扱うデータを表現するためのビット数を、メモリ手段のメモリ容量の増加を伴わずに増加させることができる。その結果、デインタリーブ処理よりも後段に伝える信号のビット精度を高めたり、新たな情報を追加して伝達することができ、復調性能を向上することが可能となる。
【００９１】
また、インタリーブの長さが最長の設定が用いられる頻度が低い場合においては、インタリーブの長さが最長の値より短い場合に対して最適なメモリ容量を保持しておくことで回路規模の増大を防ぐ一方、インタリーブの長さが最長の設定が適用された信号を受信した場合にも、多少の復調性能の劣化は伴うものの、信号の復調処理が可能となる。
【００９２】
また、本発明のＯＦＤＭ受信装置は、受信装置が複数のアンテナ手段から復調手段までを備えた構成である場合において、受信信号の品質が低い場合には信号を合成した結果を出力し、受信信号の品質が高い場合には、複数の信号をそれぞれ出力することが可能となる。この際、受信装置の回路規模の増大をもたらす記憶手段を新たに設ける必要がなく、既存の記憶装置を用いて複数系統の信号を同時に出力することが可能となる。
【図面の簡単な説明】
【００９３】
【図１】本発明の実施の形態１におけるＯＦＤＭ受信装置の構成を示すブロック図
【図２】図１に示す復調手段、デインタリーブ手段、デマッピング手段及び記憶手段の構成を示すブロック図
【図３】本発明の実施の形態２におけるＯＦＤＭ受信装置の構成を示すブロック図
【図４】図３に示す合成手段とデインタリーブ手段の動作を示すフローチャート
【符号の説明】
【００９４】
１０１    アンテナ手段
１０２    選局手段
１０３    チューナ手段
１０４    Ａ／Ｄ変換手段
１０５    直交検波手段
１０６    同期手段
１０７    周波数変換手段
１０８    復調手段
１０９    デインタリーブ手段
１１０    デマッピング手段
１１１    ビットデインタリーブ手段
１１２    誤り訂正手段
１１３    記憶手段
２０１    伝送路特性推定手段
２０２    除算手段
２０３    ＴＭＣＣ信号復号手段
２０４    量子化ビット幅決定手段
２０５    量子化手段
３０１    アンテナ手段ａ
３０２    チューナ手段ａ
３０３    Ａ／Ｄ変換手段ａ
３０４    直交検波手段ａ
３０５    同期手段ａ
３０６    周波数変換手段ａ
３０７    復調手段ａ
３０８    合成手段
３０９    デインタリーブ手段
３１０    記憶手段
３１１    デマッピング手段ａ
３１２    ビットデインタリーブ手段ａ
３１３    誤り訂正手段ａ
３１４    選局手段
４０１    アンテナ手段ｂ
４０２    チューナ手段ｂ
４０３    Ａ／Ｄ変換手段ｂ
４０４    直交検波手段ｂ
４０５    同期手段ｂ
４０６    周波数変換手段ｂ
４０７    復調手段ｂ
４１１    デマッピング手段ｂ
４１２    ビットデインタリーブ手段ｂ
４１３    誤り訂正手段ｂ
【図１】
2008199142.tif 000004
【図２】
2008199142.tif 000005
【図３】
2008199142.tif 000006
【図４】
2008199142.tif 000007